(57)【要約】【課題】販売や売上額の集計を一元化するとともに、購入者や販売員における該当商品の特定を明確にして商品名の言い間違いや聞き間違いをなくすことができるようにした商品取出装置、および商品販売システムを提供する。【解決手段】本体前面部３の陳列棚４に設置した複数の商品サンプル５と、この商品サンプルの各々に対応して設けた商品の選択ボタン６と、本体２内に設けられた商品を収容するコラムのそれぞれに配置した商品搬出装置と、この商品搬出装置により搬出された商品を取り出すように本体の背面あるいは側面に開口させた商品の取出口とを備えた商品取出装置１をスーパー等のレジ12近傍に設置し、購入者が商品取出装置の前面の選択ボタンを操作することで商品を選択し、選択された商品を商品搬出装置によって取出口からレジカウンター13に搬出し、搬出された商品を販売員が販売処理することを特徴とする。【選択図】  図４
2009039520.tif 000002
【特許請求の範囲】
【請求項１】
本体前面部の陳列棚に設置した複数の商品サンプルと、この商品サンプルの各々に対応して設けた商品の選択ボタンと、本体内に設けられた商品を収容するコラムのそれぞれに配置した商品搬出装置と、この商品搬出装置により抽出し搬出された商品を取り出すように本体の背面あるいは側面に開口させた商品の取出口とを備えたことを特徴とする商品取出装置。
【請求項２】
請求項１記載の商品取出装置をスーパーマーケット等のレジスター近傍に設置し、購入者が前記商品取出装置の前面の選択ボタンを操作することで商品を選択し、選択された商品を商品搬出装置により抽出して取出口からレジカウンターに搬出し、搬出された商品を販売員が販売処理することを特徴とする商品販売システム。
【請求項３】
選択ボタンの操作によって商品が選択された際には、選択された商品を商品搬出装置により抽出して取出口からレジカウンターに搬出するとともに、搬出された商品情報を通信でレジスターに転送するようにしたことを特徴とする請求項２記載の商品販売システム。
【発明の詳細な説明】
【技術分野】
【０００１】
本発明は、スーパーマーケット等のレジスターでたばこ等の商品を取り出す装置、およびその販売システムに関する。
【背景技術】
【０００２】
一般に、スーパーマーケット（以下、単にスーパーという。）等にたばこ等の自動販売機が設置されている場合があるが、この自動販売機の売上額の集計は、通常のレジスター（以下、レジという。）での売上分とは別個に集計する必要がある。これに対して、スーパーのレジカウンターの近傍にたばこ等の商品を収容した陳列ケースを設けておき、購入者が口頭で注文することで販売員が該当する商品を陳列ケースから取り出し、購入者がレジで商品代金を支払う販売方式がある。
【発明の開示】
【発明が解決しようとする課題】
【０００３】
しかしながら、前記販売方式では、例えば、たばこのように多くの銘柄を有するものについては、販売員が対象商品を認識しにくいことから、該当物を特定して探し出すのが煩雑となるものであり、購入者が口頭で注文し、販売員が該当する商品を取り出すという作業をおこなう際に、注文間違いや取り出し間違いが発生し易くなる不具合があった。
【０００４】
本発明は上記の点を考慮してなされたもので、販売や売上額の集計を一元化するとともに、購入者や販売員における該当商品の特定を明確にして商品名の言い間違いや聞き間違いをなくすことができるようにした商品取出装置、および商品販売システムを提供することを目的とする。
【課題を解決するための手段】
【０００５】
上記課題を解決するため、本発明の請求項１記載の商品取出装置は、本体前面部の陳列棚に設置した複数の商品サンプルと、この商品サンプルの各々に対応して設けた商品の選択ボタンと、本体内に設けられた商品を収容するコラムのそれぞれに配置した商品搬出装置と、この商品搬出装置により搬出された商品を取り出すように本体の背面あるいは側面に開口させた商品の取出口とを備えたことを特徴とし、請求項２記載の商品販売システムは、請求項１記載の商品取出装置をスーパー等のレジ近傍に設置し、購入者が前記商品取出装置の前面の選択ボタンを操作することで商品を選択し、選択された商品を商品搬出装置によって取出口からレジカウンターに搬出し、搬出された商品を販売員が販売処理することを特徴とするものである。
【発明の効果】
【０００６】
本発明の商品取出装置や商品販売システムによれば、該当商品の特定を明確にして販売の手間を低減し、商品名の言い間違いや聞き間違いをなくすことができるとともに、販売や売上額を一元化して集計し易くすることができる。
【発明を実施するための最良の形態】
【０００７】
以下、本発明の１実施形態をたばこの販売例について説明する。図１にその概略正面図、図２に背面図を示す商品取出装置（１）には、販売商品である多数のたばこを収容している本体（２）の前面開口部を閉塞する前面ドア（３）の内部に、展示用として販売対象である複数の銘柄の商品サンプル（５）を上下複数段に配列した陳列棚（４）を設けている。
【０００８】
前記陳列棚（４）には、各商品サンプル（５）に対応してその下方に、商品価格および対応商品が販売可能か売り切れかを表示するランプとともに、押圧操作することで購入商品を選択する選択ボタン（６）を配置している。
【０００９】
前記個々の商品サンプル（５）は、対象がタバコであることから箱形をなし、図柄が印刷された紙や樹脂シートで形成されているものであり、前面ドア（３）内の適宜の箇所に、ホルダーによって抱持し、外面意匠を明瞭に展示するようにして保持されている。そして、陳列棚（４）の前面は透明な樹脂製パネルで形成した前面カバーで覆われている。
【００１０】
本体（２）内には、図３の一部を破断した側面図に示すように、商品であるたばこ（７）を銘柄毎に棚板上に多数積み重ねて収容するコラム（８）を所定数配設しており、各コラム（８）の底部には、購入者による前記商品の選択ボタン（６）の押圧操作によって前記コラム（８）内に積み重ねられているたばこ（７）の中から該当する銘柄の最下段の商品を棚板から後方へ押し出すように作動させる商品搬出装置（９）を設置している。この商品搬出装置（９）は、モーターで駆動されるローラーやチェーン、商品を押し出すプッシャー等からなる公知の搬出機構で構成されており、各コラム（８）毎に設けられているものである。
【００１１】
そして、本体（２）の背部には、搬出部（10）を設けており、前記商品搬出装置（９）から押し出された選択ボタンに対応するたばこ（７）を受け、エレベータ機構で上下に移動させ、あるいは搬出シュート等によって本体（２）の背面に開口させた商品の取出口（11）に導くようにしている。
【００１２】
前記構成からなる商品取出装置（１）は、図４に示すように、スーパー等のレジ（12）の近傍に設置されるものであり、前記取出口（11）はレジカウンター（13）の上面よりやや上方の位置に対応して開口させることで、選択ボタン（６）により選択された商品（７）を直接レジカウンター（13）に搬出するように配置する。
【００１３】
スーパー等において、商品取出装置（１）によりたばこを取り出し販売する場合は、以下のようにおこなわれる。すなわち、購入者が、矢印で示すように、前記商品取出装置（１）の前方で陳列棚（４）における多種類の商品サンプル（５）から購入を希望するたばこを選択し、該当する商品サンプル（５）に対応して設けた選択ボタン（６）を押圧操作すると、本体（２）に設けた制御装置によって該当する銘柄のたばこを特定し、商品搬出装置（９）が駆動してコラム（８）内の棚板上に積み重ねられているたばこ（７）の中から最下段の商品を搬出機構で後方へ押し出し抽出する。
【００１４】
抽出されたたばこ（７）は、搬出部（10）に至り、例えば、エレベータ機構により上下移動をおこなって、図４の背面からの斜視図である図６のａのように、たばこ（７）を本体（２）の背面に形成した取出口（11）に導き、取出口（11）から直接レジカウンター（13）上に搬出するものであり、販売員は搬出された商品をそのバーコードにより処理し、他の購入された商品とともに購入者から代金を受け取るようにするシステムである。
【００１５】
商品の取出口（11）は、前記のように本体（２）の背面ではなく、本体（２）の側面に設けてもよい。その場合は、図４と同一部分に同一符号を附した図５のように、商品取出装置（１′）の前面をレジカウンター（13）の前面に沿わせるように配置し、矢印で示す購入者のレジ（12）への進入とともに陳列棚（４′）の商品サンプル（５′）から商品を選択ボタン（６′）で選択するようにする。
【００１６】
そして、選択された商品は前記と同様に取出口（11′）に導かれ、この場合は、背面図である図６のｂに示すように、本体（２′）の背面に設けられた取出口（11′）からスロープ（14）によりレジカウンター（13）に搬出されるものである。また、前記各実施例における取出口（11）（11′）とレジカウンター（13）とがさらに高さ方向等で離間している場合には、コンベア等を利用してレジカウンター（13）に導くようにすればよい。
【００１７】
したがって、本発明における商品取出装置（１）（１′）は、商品の設定や選択、商品を収容するコラム構成や搬出機構については、たばこの自動販売機と同じ構成であるが、本商品販売システムでは、商品の支払い精算をレジ（12）でおこなうため、前面ドア（３）（３′）部分には、商品の取出口のみでなく紙幣や硬貨の投入口や返却機構等は存在せず、本体（２）（２′）内にも、硬貨処理装置や紙幣識別装置、金庫等の諸装置は備えていないことから、自動販売機と比較してその構成はシンプルであり製造コストも低く抑えることができるものである。
【００１８】
なお、本商品取出装置（１）（１′）には、上記のように、金銭の授受機構がなく、これを用いた商品販売システムでは、スーパー等の販売員がその作業をおこなうことになるが、その作業は他の購入商品と一括しての販売処理となるので販売員の負担もほとんど増えない利点がある。
【００１９】
また、前記商品をたばこや酒類とした本発明の販売システムによれば、年齢制限対応として近年自動販売機で提案されているような、商品購入者が購入資格年齢に達しているか否かを認証カード等で判定し販売を可能状態にする年齢識別機能を有するものの煩雑さに比べて、販売者の視認や質問により直接識別し確認することができる効果がある。
【００２０】
続いて、より販売効率を向上させた商品販売システムの他の実施例について、前記図５と同一の配置パターンとして同一部分に同一符号を附した図７により説明する。本実施例は、商品であるたばこ（７′）を商品取出装置（１′）のコラム（８′）に収容する際に、バーコード読み取り装置（15）でたばこ（７′）のバーコードデータを読み取って本体（２′）に設置した制御装置（16）に取り込むことにより、選択ボタン（６′）が操作されると、前記同様に選択されたたばこ（７′）が搬出されるとともに搬出されたたばこ（７′）のバーコードデータをレジ（12）に転送するようにしたものである。
【００２１】
以下、その手順について説明する。まず、商品であるたばこ（７′）を商品取出装置の本体（２′）のコラム（８′）に収容する際には、操作リモコン（17）により制御装置（16）をバーコード読み取りモードにし、操作リモコン（17）の番号キーで、たばこ（７′）を収容するコラム（８′）と、そのコラムに対応する選択ボタン（６′）の番号を入力する。
【００２２】
次いで、バーコード読み取り装置（15）により、前記コラム（８）に収容するたばこ（７′）のバーコードを読み取り、そのバーコードデータ、例えば、商品ＩＤコードを選択ボタン（６′）とコラム（８′）の番号とに関連づけて制御装置（16）に記憶させる。
【００２３】
上記商品データの読み取り操作をたばこ（７′）を収容した全コラム（８）に対しておこなった後に、操作リモコン（17）でバーコード読み取りモードを解除する。
【００２４】
そして、スーパー等において、前記商品取出装置（１′）によりたばこ（７′）を取り出し販売する場合は、前記実施例と同様に、購入者が、商品サンプル（５′）の選択ボタン（６′）を押圧することで、制御装置（16）によって該当する銘柄のたばこを特定し、商品搬出装置（９）が駆動してコラム（８）内から最下段のたばこ（７′）を搬出機構（９）で後方へ押し出し、さらにこのたばこ（７′）を搬出部（10）から取出口（11）に導き、レジカウンター（13）上に搬出される。
【００２５】
たばこ（７′）が搬出された場合は、同時に、搬出されたたばこ（７′）の収容時にバーコードにより読み込まれたバーコードデータが制御装置（16）からレジ（12）に転送され、レジ（12）は、レジ（12）あるいは店舗サーバーに記憶されている価格データを転送されたバーコードデータを基に参照して、搬出したたばこ（７′）の価格を特定し、
他の購入された商品の価格とともに精算するものであり、販売員は、この精算額に基づいて購入者から代金を受け取るようにするシステムである。
【００２６】
なお、上記手順については、商品であるたばこ（７′）の価格データがあらかじめレジあるいは店舗サーバーに記憶されている例であるが、商品の収容時に、商品の価格を操作リモコン（17）により入力したり、商品の価格表等からバーコード入力して商品取出装置（１′）にその商品と関連づけて記憶させ、商品の搬出時に、その商品のバーコードデータとともにその商品の価格データをレジ（12）に転送するようにしてもよい。
【００２７】
また、商品搬出装置（９）または、搬出部（10）にバーコード読み取り装置を設け、商品の搬出時に商品のバーコードを読み取るとともに、そのバーコードデータをレジ（12）に転送するようにしてもよいものである。
【００２８】
本実施例によれば、購入者が選択ボタン（６′）を押圧することによって、商品（７′）のレジカウンター（13）への搬出とともに搬出された商品のバーコードデータがレジ（12）に転送されるので、販売員が搬出された商品（７′）のバーコードをあらためて読み取る作業が不要となり、レジ販売の効率をさらに向上させることができる。
【００２９】
さらにまた、上記実施例としては、販売対象の商品をたばことして説明したが、本発明はこれに限るものではなく、前述した酒類の他、ビン・缶等の飲料類、菓子や電池、その他の小物商品の販売に適用できることは言うまでもなく、商品取出装置を設置するレジについても、スーパーに限らず、コンビニエンスストアやその他の商店におけるレジでもよいものである。
【図面の簡単な説明】
【００３０】
【図１】本発明の１実施形態を示す商品取出装置の正面図である。
【図２】図１の背面図である。
【図３】図１の本体内の一部を破断した概略側面図である。
【図４】図１の商品取出装置をスーパーのレジ前に配置した斜視図である。
【図５】図１の商品取出装置の他の実施例を示すレジ前の配置図である。
【図６】図４、５の配置図を背面からみた斜視図である。
【図７】本発明の他の実施例を示す商品販売システムの説明図である。
【符号の説明】
【００３１】
１、１′  商品取出装置
２、２′  本体
３、３′  前面ドア
４、４′  陳列棚
５、５′  商品サンプル
６、６′  選択ボタン
７、７′  商品（たばこ）
８、８′  コラム
９  商品搬出装置
10  搬出部
11、11′  取出口
12  レジ
13  レジカウンター
14  スロープ
15  バーコード読み取り装置
16  制御装置
17  操作リモコン
【図１】
2009039520.tif 000003
【図２】
2009039520.tif 000004
【図３】
2009039520.tif 000005
【図４】
2009039520.tif 000006
【図５】
2009039520.tif 000007
【図６】
2009039520.tif 000008
【図７】
2009039520.tif 000009